(57)【要約】  【課題】  対面会話の装着利用性を改善し、筋力が低下した難聴者にも容易に利用することができる上、収納性や携帯性を高めたものとすることができ、しかも清掃や衛生管理の作業性にも秀れた新たな音声伝達具技術を提供する。  【解決手段】  小径口２から、人体の少なくとも発声中の上・下唇を覆う大きさ、および、人体の少なくとも左右何れか片方の耳殻を覆う大きさとした大径口３まで、その内径を漸次拡大するよう湾曲した概略円錐管状の拡声筒内壁４を有するものとした伝声器１、および、該伝声器１，１の一対からなり、互いの小径口２・大径口３の少なくとも何れか一方同士を、接続機構７を介して連結し、または、伝声管８０を組み合わせてなる難聴者用音声伝達具６である。【選択図】    図１７
2015200751.tif 000002
【特許請求の範囲】
【請求項１】
適宜寸法に設定した小径口から、人体の少なくとも発声中の上・下唇を覆う大きさ、および、人体の少なくとも左右何れか片方の耳殻を覆う大きさとした大径口まで、その内径を漸次拡大するよう湾曲した概略円錐管状の拡声筒内壁を有するものとしたことを特徴とする伝声器。
【請求項２】
適宜寸法に設定した小径口から、人体の少なくとも発声中の上・下唇を覆う大きさ、および、人体の少なくとも左右何れか片方の耳殻を覆う大きさとした大径口まで、その内径を漸次拡大するよう湾曲した概略円錐蛇腹管状の拡声筒内壁を有し、小径口と大径口とを同一平面に近接するよう圧縮状折り畳み可能なものとしたことを特徴とする伝声器。
【請求項３】
請求項１または２何れか一記載の伝声器が、１８０℃以上の耐熱性を有する軟質シリコン樹脂成型品とし、加熱殺菌処理可能なものとしてなる、請求項１または２何れか一記載の伝声器。
【請求項４】
請求項１または２何れか一記載の伝声器が、薄く細長い帯状にスライスしたテープ状木材を積層状に巻き重ね、湾曲した概略円錐管状か、湾曲した概略円錐蛇腹管状かの何れか一方の形状に一体化してなるものとした、請求項１または２何れか一記載の伝声器。
【請求項５】
請求項１または２何れか一記載の伝声器が、不織布製および紙製の少なくともいずれか一方とし、必要に応じて強度不足となる要所々々に補強用の肉厚部、または、補強用針金などを一体化し、使い捨て用のものとしてなる、請求項１または２何れか一記載の伝声器。
【請求項６】
略同一形状、同一寸法とした、請求項１ないし５何れか一記載の伝声器の一対からなり、互いの小径口・大径口の少なくとも何れか一方同士を、着脱自在および旋回自在の少なくとも何れか一方とする接続機構を介して連結してなるものとした、請求項１ないし５何れか一記載の伝声器を利用した難聴者用音声伝達具。
【請求項７】
略相似形状の、大・小に寸法の異なる、請求項１ないし５何れか一記載の伝声器の一対からなり、互いの小径口・大径口の少なくとも何れか一方同士を、着脱自在および旋回自在の少なくとも何れか一方とする接続機構を介して連結可能とし、該大伝声器内に該小伝声器を収容可能な寸法関係としてなるものとした、請求項１ないし５何れか一記載の伝声器を利用した難聴者用音声伝達具。
【請求項８】
請求項１ないし５何れか一記載の伝声器の一対の互いの小径口・大径口の少なくとも何れか一方同士間に、接続機構を介して連結可能とした適宜素材製の伝声管を組み合わせてなるものとした、請求項６または７何れか一記載の難聴者用音声伝達具。
【請求項９】
請求項１または２何れか一記載の伝声器が、薄く細長い帯状にスライスしたテープ状木材を、湾曲した概略円錐状か、湾曲した概略円錐蛇腹管状かの何れか一方の型に沿って巻き付けるよう積層状とすると共に、巻き付け状の該テープ状木材同士間に接着層を介在させ、湾曲した概略円錐管状か、湾曲した概略円錐蛇腹管状かの何れか一方の形状を維持可能に一体化、成型するようにしてなるものとした、請求項３記載の伝声器の製造方法。
【請求項１０】
請求項１または２何れか一記載の伝声器が、薄く細長い帯状にスライスしたテープ状木材を、小径口に一致する外径に設定した円板の周囲に沿うように巻き付け、大径口に一致する外径とするまで積層すると共に、巻き付け状の該テープ状木材同士間に接着層を介在させ、平板ロール状木製素材とした上、小径口から大径口を概略円弧状方向に引き延ばすようスライドさせるようにし、湾曲した概略円錐管状か、湾曲した概略円錐蛇腹管状かの何れか一方の形状を維持可能に一体化、成型するようにしてなるものとした、請求項３記載の伝声器の製造方法。                                                                                                
【発明の詳細な説明】
【技術分野】
【０００１】
この発明は、介護や臨床など様々な場面における難聴者に有効な音声伝達技術に関連するものであり、特に、電気的または電子的な増幅回路などを有さず、対面する相手に気軽に利用可能な音声伝達具を製造、提供する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                                                
【背景技術】
【０００２】
（着目点）
高齢者は、加齢に伴って聴覚に関わる細胞が減少、老化し、次第に聴力が低下してしまう、一般に「耳が遠い」と云われる老人性難聴となり、進行すると日常的な会話も困難になってしまうことが多く、こうした聴覚障害者用の補装具として様々な種類の補聴器が広く利用されており、基本的に入力部が集音・発生させた音声信号を、電源から電力供給を受ける増幅部が電気的または電子的に増幅し、聴覚障害者の耳に装着した出力部を通じて拡声するようにした器具として提供されているものの、実際の利用者の反応をみると、人の話声だけでなく、周囲の雑音まで増幅してしまって聞き取り辛かったり、会話の途中に電池切れしてしまったりすることがあるなどの課題を抱えたままとなっているだけではなく、高価で適切なメンテナンスを要するなどといった経済的負担も大きく、軽い難聴の場合には購入を躊躇してしまい、症状が重くなるまで不便な状態を我慢してしまうといった現象も見受けられる。
【０００３】
（従来の技術）
こうした状況を反映し、その打開策となるような提案もこれまでに散見されない訳ではない。
例えば、下記の特許文献１（１）ないし１（３）などに提案がなされているもののように、口当てと耳当てとなる部分をテーバー形状のものとし、それら口当てと耳当との間をフレキシブルチューブで繋ぎ、難聴者の耳元に耳当てを当て、発声者の口元に口当てを当てるようにして会話可能なものとし、発声者が通常の音量で発声した場合にも、効率的に集音して難聴者にも聞き取り易くなり、周囲に迷惑を掛けずに、円滑な会話ができるようにした音声伝達具などが多数散見される。
【０００４】
しかし、それら特許文献１（１）ないし１（３）に示されているような音声伝達具などは、何れも口当てと伝声用チューブの接続、および、伝声用チューブと耳当てとの接続が、夫々一直線上に繋がれたものとしてあり、対面して会話する場合などには、各接続部付近の伝声用チューブを大きく湾曲させて使用しなければならず、相手の目や表情を見ながらコミュニケーションするのが難しく、しかも、全体が大きく収納や携帯性に劣り、外出先などでの利用には全く不向きであるという致命的な欠点があった。                                                        
【特許文献１】（１）実用新案登録第３０６７４５６号公報    （２）実用新案登録第３１３２３５８号公報    （３）実開昭６３−８０１９号公報
【発明の概要】
【発明が解決しようとする課題】
【０００５】
（問題意識）
上述したとおり、従前までに提案のある各種音声伝達具などは、伝声用チューブに対して口当てや耳当て部分が一直線上に一体化しているから、対面して顔色や反応を診ながら会話するときに伝声用チューブを大きく湾曲させなければならず、筋力が衰えた高齢者などには、特に装着状態を維持するのが困難になるだけではなく、大型で収納や携帯性に劣る上、発声によって飛沫した唾液が付着し易く、使用後の清掃および殺菌消毒などの作業性や使い捨て可能な経済性など、衛生管理や経済的負担などに課題を残すものとなっており、さらに、例えば、郵便局、市区町村の役所、銀行など、プライバシーや個人情報保護などの観点からも、難聴者への配慮が必要となる公の場所での使用に際し、拡声だけでなく防音の機能も考慮する必要がある外、外観の意匠にも、より趣のあるものとするのが望ましいなど、それら提案済みのものの未だ解決し得ていない課題を是非とも解消し、難聴者、その家族および介護や臨床に臨む人々の、より良い助けとなる新たな音声伝達具を提供することは出来ないものかとの思いを痛感するに至ったものである。
【０００６】
（発明の目的）
そこで、この発明は、老人介護に係わってきた者の一人として、対面会話の装着利用性を改善し、筋力が低下した難聴者にも容易に利用することができる上、収納性や携帯性を高めたものとすることができ、しかも清掃や衛生管理の作業性にも秀れた新たな音声伝達具技術の開発はできないものかとの判断から、逸速くその開発、研究に着手し、長期に渡る試行錯誤と幾多の試作、実験とを繰り返してきた結果、今回、遂に新規な構造の伝声器、その新規な製造方法、およびこの伝声器を利用した新規な難聴者用音声伝達具を実現化することに成功したものであり、以下では、図面に示すこの発明を代表する実施例と共に、その構成を詳述することとする。                                                                
【課題を解決するための手段】
【０００７】
（発明の構成）
図面に示すこの発明を代表する実施例からも明確に理解されるように、この発明の伝声器は、基本的に次のような構成から成り立っている。
即ち、適宜寸法に設定した小径口から、人体の少なくとも発声中の上・下唇を覆う大きさ、および、人体の少なくとも左右何れか片方の耳殻を覆う大きさとした大径口まで、その内径を漸次拡大するよう湾曲した概略円錐管状の拡声筒内壁を有するものとした構成を要旨とする伝声器である。
【０００８】
この基本的な構成からなる伝声器は、その表現を変えて示すならば、適宜寸法に設定した小径口から、人体の少なくとも発声中の上・下唇を覆う大きさ、および、人体の少なくとも左右何れか片方の耳殻を覆う大きさとした大径口まで、その内径を漸次拡大するよう湾曲した概略円錐蛇腹管状の拡声筒内壁を有し、小径口と大径口とを同一平面に近接するよう圧縮状折り畳み可能なものとした構成からなる伝声器となる。
【０００９】
（関連する発明１）
上記した伝声器に関連し、この発明には、その製造方法も包含している。
即ち、この発明の基本をなす伝声器が、薄く細長い帯状にスライスしたテープ状木材を、湾曲した概略円錐状か、湾曲した概略円錐蛇腹管状かの何れか一方の型に沿って巻き付けるよう積層状とすると共に、巻き付け状の該テープ状木材同士間に接着層を介在させ、湾曲した概略円錐管状か、湾曲した概略円錐蛇腹管状かの何れか一方の形状を維持可能に一体化、成型するようにしてなるものとした、の発明の基本をなす伝声器の製造方法である。
【００１０】
この伝声器の製造方法を、表現を変えて示すと、この発明の基本をなす伝声器が、薄く細長い帯状にスライスしたテープ状木材を、小径口に一致する外径に設定した円板の周囲に沿うように巻き付け、大径口に一致する外径とするまで積層すると共に、巻き付け状の該テープ状木材同士間に接着層を介在させ、平板ロール状木製素材とした上、小径口から大径口を概略円弧状方向に引き延ばすようスライドさせるようにし、湾曲した概略円錐管状か、湾曲した概略円錐蛇腹管状かの何れか一方の形状を維持可能に一体化、成型するようにしてなるものとした、この発明の基本をなす伝声器の製造方法ということができる。
【００１１】
（関連する発明２）
上記した伝声器、およびその製造方法に関連し、この発明には、その伝声器を利用した難聴者用音声伝達具も包含される。
即ち、略同一形状、同一寸法とした、この発明の基本をなす伝声器の一対からなり、互いの小径口・大径口の少なくとも何れか一方同士を、着脱自在および旋回自在の少なくとも何れか一方とする接続機構を介して連結してなるものとした、この発明の基本をなす伝声器を利用した難聴者用音声伝達具となる。
【００１２】
これを換言すると、略相似形状の、大・小に寸法の異なる、この発明の基本をなす伝声器の一対からなり、互いの小径口・大径口の少なくとも何れか一方同士を、着脱自在および旋回自在の少なくとも何れか一方とする接続機構を介して連結可能とし、該大伝声器内に該小伝声器を収容可能な寸法関係としてなるものとした、この発明の基本をなす伝声器を利用した難聴者用音声伝達具と云うことができる。                                                                
【発明の効果】
【００１３】
以上のとおり、この発明の伝声器によれば、従前までのものとは違い、上記したとおりの固有の特徴ある構成から、湾曲した概略円錐管状のものとしたから、対面会話の装着利用性を改善し、難聴者の顔色や反応を略正面から診ながら会話することができるようになり、介護や治療をより安全且つ適切に行うことができるものとなり、また、湾曲した概略円錐蛇腹管状のものとすることにより、蛇腹状部分を圧縮状に折り畳み、コンパクト化して収納性や携帯性を格段に高めたものとすることができるという利点が得られ、該伝声器の一対を、接続機構を介して連結したり、伝声管を組み合わせたものとしたりすることにより、さらに、会話し易い距離感を確保し、より快適に利用できるものになるという秀でた特徴が得られるものである。
【００１４】
加えて、耐熱性軟質シリコン樹脂成型品としたものでは、利用後に洗浄および煮沸するなどして唾液の飛沫やウィルスなどを殺菌・消毒し、衛生的に使用可能とすることができ、テープ状木材を積層状に巻き重ねて製造したものは、木製工芸品と同等の外的美観を得ることができる上、木質製品の肌触りや感触を得ることができ、伝達する音声も良く響き、一段と聞き易く、使い心地の良いものとなり、また、不織布製や紙製などとし、使い捨て可能としたものは、より軽量化し、折り畳み可能なものとすれば、常時携帯して必要なときに何時でも取り出して使用可能であり、使用後は簡単に廃棄処理することができ、より手軽に秀れた衛生管理を達成できるものとなる。
【００１５】
そして、この発明の難聴者用音声伝達具によれば、略同一形状、同一寸法とした伝声器の一対からなるものとなっており、互いの小径口・大径口の少なくとも何れか一方同士を、接続機構を介して連結してなるものは、一対の伝声器を互いに旋回状に姿勢変化させることができるから、会話する２人の向き合う態勢に応じて各伝声器の向きを自由に調節できるものとなり、しかも湾曲した概略円錐蛇腹管状の伝声器を組み合わせたものは、蛇腹部分を折り畳むことによってコンパクト化し、より効率的に収納および携帯することができ、また、略相似形状の、大・小に寸法の異なる伝声器の一対からなり、接続機構を介して連結してなるものは、難聴者の耳元に装着する伝声器の大・小を変えることによって拡声効果をより高めたり、集音効果をさらに高めたりすることができ、しかも収納や携帯時には、大伝声器内に、小伝声器を収納して小型化することが可能である。
【００１６】
さらに、これら一対の伝声器の間に、接続機構を介し伝声管を組み合わせてなる難聴者用音声伝達具によれば、会話する者同士の距離を、より大きく確保することができるから、通常の会話に適した距離感を確保することができ、しかも、湾曲した概略円錐状か、湾曲した概略円錐蛇腹管状かの何れか一方とした伝声器の使用により、伝声管が略直管形状のままであっても両者とも装着利用し易く、筋力の衰えた高齢者などにも保持し易いものとなり、一段と利便性に秀れたものとすることができるという利点が得られる。
【００１７】
そしてまた、この発明の伝声器の製造方法では、薄く細長い帯状にスライスしたテープ状木材を型に沿って巻き付けるよう積層状とすると共に、巻き付け状の該テープ状木材同士間に接着層を介在させ、湾曲した概略円錐管状か、湾曲した概略円錐蛇腹管状かの何れか一方の形状を維持可能に一体化、成型するようにしたものとなっており、通常の木工用旋盤による加工によって製造不可能な曲面形状を容易に達成し、格段に効率的に生産することができ、さらにまた、テープ状木材を、小径口に一致する外径に設定した円板の周囲に沿うように巻き付け、大径口に一致する外径とするまで積層すると共に、巻き付け状の該テープ状木材同士間に接着層を介在させ、平板ロール状木製素材とした上、小径口から大径口を概略円弧状方向に引き延ばすようスライドさせるようにし、湾曲した概略円錐管状か、湾曲した概略円錐蛇腹管状かの何れか一方の形状を維持可能に一体化、成型するようにしたときには、湾曲した概略円錐管状や湾曲した概略円錐蛇腹管状の型が不要となり、格段に経済的に生産可能となる上、成形の自由度が増え、低コストにて商品バリエーションをより多彩なものとすることができるという大きな効果を奏することになる。                                        
【発明を実施するための最良の形態】
【００１８】
上記したとおりの構成からなるこの発明の実施に際し、その最良もしくは望ましい形態について説明を加えることにする。
伝声器は、それ自体、および、この発明の難聴者用音声伝達具の一部となるかの少なくとも何れか一方とし、難聴者の耳に対し、外部から集音した音声を伝達可能とする機能を担い、その内径を、適宜寸法に設定した小径口から、人体の少なくとも発声中の上・下唇を覆う大きさ、および、人体の少なくとも左右何れか片方の耳殻を覆う大きさとした大径口まで、漸次拡大してなるものとしなければならず、湾曲した概略円錐管状のものとすべきであり、小径口および大径口の開口縁には、接続機構を設けたものとする外、人体の口元や耳元に沿って密着可能な形状に成形したものとしたり、弾性変形可能な軟質素材製部分としたり、拡声筒内壁適所、小径口および大径口の少なくとも一箇所に唾液の飛沫を防止可能なフィルターを着脱・交換自在に装着したものとしたりなどとすることが可能であり、一部または全部に抗菌素材や蛍光素材を用いたものとすることができ、後述する実施例に示すように、湾曲した概略円錐蛇腹管状の筒壁を有するものとし、小径口と大径口とを同一平面に近接するよう圧縮状折り畳み可能なものとすることができる外、加熱殺菌処理可能な金属製、耐熱樹脂製、木製などの耐熱素材製のものとすることや、使い捨て可能な不織布製、紙製、樹脂フィルム製、金属箔製、または、それらの組合せとし、必要に応じて強度不足となる要所々々に補強用の肉厚部、補強用針金、または、同等の補強部品類などを一体化したものとすることが可能である。
【００１９】
小径口は、伝声器内壁および大径口に通じる音声の出入り口となり、該小径口から伝声器内壁内に進入した音声を大径口を通じて拡声したり、大径口から伝声器内壁内に進入した音声を、該小径口を通じて集音したりすることを可能とする機能を担っていて、この発明の難聴者用音声伝達具の一部として組み込むようにしたものの場合には、別体に設けた伝声器の小径口および大径口の少なくとも何れか一に接続可能な接続機構を有するものとすることができ、該接続機構を介して伝声管の一端を連結可能としたものとすることが可能であり、適宜直径寸法に設定したものとすることができ、より具体的には、例えば、集音するときには、人体の少なくとも左右何れか片方の耳殻を覆う大きさとし、拡声するものの場合には、人体の少なくとも発声中の上・下唇を覆う大きさとしたものとするのが望ましい。
【００２０】
大径口は、伝声器内壁および小径口に通じる音声の出入り口となり、該大径口から伝声器内壁内に進入した音声を小径口を通じて集音したり、小径口から伝声器内壁内に進入した音声を、該大径口を通じて拡声したりすることを可能とする機能を担い、小径口よりも大きな開口寸法のものとしなければならず、この発明の難聴者用音声伝達具の一部として組み込むものの場合には、別体に設けた伝声器の小径口および大径口の少なくとも何れか一に接続可能な接続機構を有するものとすることができ、該接続機構を介して伝声管の一端を連結可能としたものとすることが可能であり、より具体的には、集音しようとするときには、人体の少なくとも左右何れか片方の耳殻を覆う大きさとなし、拡声するものの場合には、人体の少なくとも発声中の上・下唇を覆う大きさとしたものとすべきである。
【００２１】
伝声器の内壁は、小径口と大径口との間を音声伝達可能な連続筒状に連結可能とし、さらに、集音機能や拡声機能などを達成可能とする機能を担い、小径口から大径口まで、その内径を漸次拡大するよう湾曲した概略円錐管状のものとしなければならず、その内径を漸次拡大するよう湾曲した概略円錐蛇腹管状し、小径口と大径口とを同一平面に近接するよう圧縮状折り畳み可能なものとすることができ、外周壁形状は、特に制限を受けるものではないが、軽量化や音の均質な伝達、響きなどを考慮すると、伝声器内壁に倣って均質な肉厚とした形状のものとするのが望ましい。
【００２２】
この発明の難聴者用音声伝達具は、この発明の伝声器を一部に組み込み、その集音機能や拡声機能などを高める機能を担っており、後述する実施例にも示してあるとおり、略同一形状、同一寸法とした伝声器の一対からなっていて、互いの小径口・大径口の少なくとも何れか一方同士を、着脱自在および旋回自在の少なくとも何れか一方とする接続機構を介して連結してなるようにしたものや、略相似形状の大・小に寸法の異なる伝声器の一対からなり、互いの小径口・大径口の少なくとも何れか一方同士を、着脱自在および旋回自在の少なくとも何れか一方とする接続機構を介して連結可能とし、該大伝声器内に該小伝声器を収容可能な寸法関係としてなるものなどとすることができる外、該伝声器の一対の互いの小径口・大径口の少なくとも何れか一方同士間に、接続機構を介して連結可能とした適宜素材製の伝声管を組み合わせてなるものとすることができる。
【００２３】
接続機構は、一対の伝声器同士か、または、伝声器と伝声管とを着脱不能または着脱自在に接続可能とし、互いに旋回自在に連結可能とする機能を担い、円筒部同士の脱抜・旋回自在なものとすることができる外、一方の筒端に弾性変形させて嵌合可能なフランジ状鍔部分を設け、着脱・旋回自在としたもの、雄ネジと雌ネジの組合せからなり、締付け度合いによって旋回角度を調整可能としたもの、雌筒内周壁にＬ字形の溝を刻設し、雄筒の外周壁に嵌合ピンを立設し、互いを組み合わせて周回りに締め付けるようにして仮固定可能としたもの、または、その他の止めネジ、クリップ、バックル、永久磁石、ボタン、フック、ベルト、紐、ワイヤー、ゴム環を設けたものなど、様々な接続構造を適宜採用したものとすることができる。
【００２４】
伝声管は、一対の伝声器の間に介在し、双方間の効率的な音声伝達を可能とする機能を担っており、一対の伝声器の互いの小径口・大径口の少なくとも何れか一方同士間に、接続機構を介して連結可能としたものとしなければならず、直管状のものとすることができる外、柔軟に湾曲可能な直管状、または、湾曲管状のものとすることが可能であり、また、軟質素材製蛇腹状の湾曲操作性を高めたものなどとすることができ、伸長や圧縮、折り畳み可能なものなどとすることができる外、一端に伝声器を着脱不能に一体化し、他端に伝声器を着脱自在に装着可能としたもの、または、両端に伝声器を着脱不能に一体化したものなどとすることが可能であり、伝声器と同様に、加熱殺菌処理可能な金属製、耐熱樹脂製、木製などの耐熱素材製のものとすることや、使い捨て可能な不織布製、紙製、樹脂フィルム製、金属箔製、または、それらの組合せとし、必要に応じて強度不足となる要所々々に補強用の肉厚部、補強用針金、または、同等の補強部品類などを一体化したものとすることも可能である。
【００２５】
そして、この発明における伝声器の製造方法は、金属製や合成樹脂製、木製、不織布製、紙製などの伝声器を製造する場合には、切削加工、鋳造、樹脂成型、加熱成形、プレス加工、溶断、熔接、接着、熔着など様々な加工工程を経て製造することができ、より特徴的な木製伝声器を提供しようとする場合には、後述する実施例にも示してあるように、薄く細長い帯状にスライスしたテープ状木材を、湾曲した概略円錐状か、湾曲した概略円錐蛇腹管状かの何れか一方の型に沿って巻き付けるよう積層状とすると共に、巻き付け状の該テープ状木材同士間に接着層を介在させ、湾曲した概略円錐管状か、湾曲した概略円錐蛇腹管状かの何れか一方の形状を維持可能に一体化、成型するようにしてなるものとすることができる外、薄く細長い帯状にスライスしたテープ状木材を、小径口に一致する外径に設定した円板の周囲に沿うように巻き付け、大径口に一致する外径とするまで積層すると共に、巻き付け状の該テープ状木材同士間に接着層を介在させ、平板ロール状木製素材とした上、小径口から大径口を概略円弧状方向に引き延ばすようスライドさせるようにし、湾曲した概略円錐管状か、湾曲した概略円錐蛇腹管状かの何れか一方の形状を維持可能に一体化、成型するようにしてなるものとすることができ、さらにまた、この発明の伝声器の一部に当該テープ状木材を利用した部分または部品を一体化するように製造することができる。
以下では、図面に示すこの発明を代表する実施例と共に、その構造について詳述することとする。                                                                                                                
【図面の簡単な説明】
【００２６】
図面は、この発明の伝声器、その製造方法、およびこの伝声器を利用した難聴者用音声伝達具の技術的思想を具現化した代表的な幾つかの実施例を示すものである。
【図１】伝声器を示す側面図である。
【図２】伝声器を示す正面図である。
【図３】伝声器を示す背面図である。
【図４】伝声器を示す下面図である。
【図５】伝声器を示す平面図である。
【図６】難聴者用音声伝達具を示す側面図である。
【図７】分解した難聴者用音声伝達具を示す側面図である。
【図８】難聴者用音声伝達具を示す正面図である。
【図９】難聴者用音声伝達具を示す背面図である。
【図１０】難聴者用音声伝達具を示す平面図である。
【図１１】難聴者用音声伝達具を示す下面図である。
【図１２】折り畳み分解状態の難聴者用音声伝達具を示す側面図である。
【図１３】折り畳み状態の難聴者用音声伝達具を示す側面図である。
【図１４】折り畳み状態の大伝声器を示す下面図である。
【図１５】折り畳み状態の小伝声器を示す平面図である。
【図１６】収納状態の大・小伝声器を示す側面図である。
【図１７】伝声管を有する分解状態の難聴者用音声伝達具を示す側面図である。
【図１８】伝声管を有する難聴者用音声伝達具を示す側面図である。
【図１９】形状の異なる伝声管を有する難聴者用音声伝達具を示す側面図である。
【図２０】伝声管を持たない難聴者用音声伝達具の分解状態を示す斜視図である。
【図２１】テープ状木材製の伝声器を示す側面図である。
【図２２】テープ状木材製の伝声器を示す正面図である。
【図２３】伝声器の円錐状筒壁の曲率を示す正面図である。
【図２４】テープ状木材製の伝声器を示す背面図である。
【図２５】テープ状木材製の伝声器を示す平面図である。
【図２６】テープ状木材製の伝声器を示す下面図である。
【図２７】テープ状木材製伝声器の製造工程を示す斜視図である。
【図２８】伝声管を持たないテープ状木材製難聴者用音声伝達具を示す斜視図である。
【図２９】組合せ状態を変えたテープ状木材製難聴者用音声伝達具を示す斜視図である。
【図３０】テープ状木材製大・小伝声器を組合せた難聴者用音声伝達具を示す斜視図である。
【図３１】テープ状木材製大・小伝声器の収納状態を示す斜視図である。
【図３２】伝声管を有するテープ状木材製難聴者用音声伝達具の分解状態を示す斜視図である。
【図３３】伝声管を有するテープ状木材製難聴者用音声伝達具を示す斜視図である。
【図３４】伝声管を有する大・小伝声器利用難聴者用音声伝達具の分解状態を示す斜視図である。
【図３５】伝声管を有するテープ状木材製大・小伝声器利用難聴者用音声伝達具を示す斜視図である。
【図３６】伸縮可能な伝声管を有する大・小伝声器利用難聴者用音声伝達具を示す斜視図である。
【実施例１】
【００２７】
図１ないし図１８に示す事例は、小径口２から、人体の少なくとも発声中の上・下唇を覆う大きさ、および、人体の少なくとも左右何れか片方の耳殻を覆う大きさとした大径口３まで、その内径を漸次拡大するよう湾曲した概略円錐管状の拡声筒内壁４を有するものとした伝声器１、および、該伝声器１，１の一対からなり、互いの小径口２・大径口３の少なくとも何れか一方同士を、接続機構７を介して連結し、または、伝声管８を組み合わせてなるものとした、この発明の難聴者用音声伝達具６における代表的な一実施例を示すものである。
【００２８】
図１ないし図５からも明確に把握できるとおり、この発明の伝声器１は、１８０℃以上の耐熱性を有する蛍光色の軟質シリコン樹脂成型品とし、人体の発声中の上・下唇を覆うのに充分な内径寸法に設定した小径口２から、人体の少なくとも発声中の上・下唇を覆う大きさ、および、人体の少なくとも左右何れか片方の耳殻を覆う大きさとし、該小径口２よりも大きな内径寸法に設定した大径口３まで、その内径を漸次拡大するよう湾曲した概略円錐蛇腹管状の拡声筒内壁４を有し、該小径口２と大径口３とを同一平面に近接するよう圧縮状折り畳み可能なものとし、該大径口３を円環状の補強枠部とし、該小径口２に雄ネジまたは雌ネジ（図１は雌ネジ７１）からなる接続機構７を設けたものとしてある。
【００２９】
図６ないし図１６に示すように、小径口２から大径口３にかけて拡声筒内壁４内径を漸次拡大するよう、湾曲した概略円錐蛇腹管状とした伝声器１であって、互いに略相似形状とするよう、大・小に寸法が異なる一対の大伝声器１０、小伝声器１１同士を組み合わせた難聴者用音声伝達具６は、大伝声器１０および小伝声器１１の各大径口３，３を円環状の補強枠部とし、小伝声器１１小径口２の外周壁に雄ネジ７０を刻設し、大伝声器１０小径口２の内周壁に雌ネジ７１を刻設し、互いに接続可能な雄ネジ７０・雌ネジ７１からなる接続機構７を設け、図６ないし図１１に示すように、大伝声器１０および小伝声器１１は、接続機構７雄ネジ７０・雌ネジ７１を介して着脱自在に連結し、互いに旋回させて連結角度を調節可能とし、図１２ないし図１５に示すように、大伝声器１０および小伝声器１１を、夫々同一平面に近接するよう圧縮状折り畳み可能なものとしてあり、また、図１６に示すように、湾曲した概略円錐蛇腹管状に展開したまま、大伝声器１０内に小伝声器１１を収納可能なものとしてある。
【００３０】
図１７ないし図１８に示すように、大伝声器１０および小伝声器１１の接続機構７雄ネジ７０・雄ネジ７１の間に、一端に雄ネジ７０、他端に雌ネジ７１を設けた所定長寸法の円筒状であって、１８０℃以上の耐熱性を有する軟質シリコン樹脂成型品とした伝声管８を介在するよう、脱着自在且つ旋回角度調節自在に接続したものとし、伝声管８は、図１９に示すように、湾曲性に秀れた蛇腹管としたものとすることができる。
【００３１】
（実施例１の作用・効果）
以上のとおりの構成からなるこの発明の伝声器１は、１８０℃以上の耐熱性を有する蛍光色の軟質シリコン樹脂成型品としたから、軟質樹脂製の故ノイズが少なく使いは鋤く、使用後の洗浄に際して煮沸などの加熱殺菌処理を可能とし、衛生的に再利用することができる上、蛍光色のものとし、夜間や暗所でも視認し易く、視力の低下した利用者にも探し易く、様々な色彩に着色したものは、さらに美観および質感を向上し、一段と付加価値を高めたものとすることができ、公共の場や屋外などでも快適に利用することができる上、健常者を含むレクリエーション活動などの外、災害時の避難活動用のメガホンなどとしても広く利用することができるものとなり、それら伝声器１，１を利用した難聴者用音声伝達具６は、接続機構７の雄ネジ７０・雌ネジ７１が、相互部品の連結を強化すると共に、部品同士の脱着および旋回による姿勢調節を可能とし、一段と利便性に秀でたものとすることができる。                                                                    
【実施例２】
【００３２】
図２０ないし図３６に示す事例は、薄く細長い帯状にスライスしたテープ状木材５を積層状に巻き重ね、湾曲した概略円錐管状か、湾曲した概略円錐蛇腹管状かの何れか一方の形状に一体化してなる伝声器１、および、該伝声器１，１の一対からなり、互いの小径口２，２・大径口３，３の少なくとも何れか一方同士を、接続機構７を介して連結し、または、伝声管８を組み合わせてなるものとした、この発明の難聴者用音声伝達具６における代表的な他の一実施例を示すものである。
【００３３】
図２１ないし図２７からも明確に把握できるとおり、この発明における伝声器１は、後述する２つの製造方法の何れか一方によって製造することが可能であり、１つ目の製造方法は、図２７に示すように、曲げに強いブナの原木を約１ｍｍ厚の薄く細長い帯状にスライスしたテープ状木材５を、湾曲した概略円錐状か、湾曲した概略円錐蛇腹管状かの何れか一方の型（図示せず）に沿って巻き付けるよう積層状とすると共に、巻き付け状の該テープ状木材５同士間に接着層を介在させ、湾曲した概略円錐管状か、湾曲した概略円錐蛇腹管状かの何れか一方の形状を維持可能に一体化、成型した後、離型するようにしてなるものであり、２つ目の製造方法は、薄く細長い帯状にスライスしたテープ状木材５を、小径口２に一致する外径に設定した円板の周囲に沿うように巻き付け、大径口３に一致する外径とするまで積層すると共に、巻き付け状の該テープ状木材５同士間に接着層を介在させ、平板ロール状木製素材とした上、小径口２から大径口３を概略円弧状方向に引き延ばすようスライドさせるようにし、湾曲した概略円錐管状か、湾曲した概略円錐蛇腹管状かの何れか一方の形状を維持可能に一体化、成型するようにしてなるものであって、何れの場合にも、接着層が硬化した後に、研磨および塗装仕上げ処理することができる。
【００３４】
図２２および図２４に示しているとおり、この実施例における伝声器１は、湾曲した概略円錐管状の周壁形状を、外側に膨出した湾曲形状のものとすることができる外、図２３に示すように、周壁形状を内側に向けて曲率半径Ｒの凹曲面形をなすものとすることが可能であり、図２８に示すように、略同一形状・寸法とした一対の伝声器１，１の小径口２，２同士を、互いに旋回自在に嵌合可能な内・外径の円筒形とした接続機構７を介し、締まり嵌め状態に連結したものとすることができる外、図２９に示すように、一対の伝声器１，１の大径口３，３同士を、互いに旋回自在に嵌合可能な内・外径の円筒形とした接続機構７を介し、旋回自在な締まり嵌め状態に、着脱自在に連結したものとすることができ、さらにまた、図３０に示すように、略相似形状の、大・小に寸法の異なる、大伝声器１０および小伝声器１１の一対からなり、互いの小径口２，２同士、または、大径口３，３同士を、接続機構７を介し、旋回自在な締まり嵌め状態に、着脱自在に連結し、図３１に示すように、接続機構７を分離した場合に、大伝声器１０内に小伝声器１１を収納可能な寸法関係のものとしてある。
【００３５】
そして、図３２および図３３に示すように、この発明の難聴者用音声伝達具６は、一対の伝声器１，１各小径口２，２間に、互いに旋回自在に嵌合可能な内・外径の円筒形とした接続機構７，７を介し、伝声管８を組み合わせたものとすることが可能であり、図３４および図３５に示すように、大伝声器１０、小伝声器１１各小径口２，２間に、接続機構７，７を介し、管状体８の一端に大伝声器１０小径口２用の接続機構７、同管状体８の縮径化した他端に小伝声器１１小径口２用の接続機構７を夫々設けた伝声管８を組み合わせたものとすることができる外、図３６に示すように、伝声管８の中途適所にテレスコープ状の伸縮機構８０を設けたものとすることができる。
【００３６】
（実施例２の作用・効果）
この発明における伝声器１、およびそれを利用した難聴者用音声伝達具６は、その製造にテープ状木材５を積層状に巻き重ねるようにして利用するから、木材の切削加工が不要となり、切り屑が発生せず、格段に効率的に生産し、貴重な原木を有効活用でき、しかも従来の旋盤を利用した加工では、製造不可能な湾曲した概略円錐管状や、湾曲した概略円錐蛇腹管状の伝声器１を達成することができ、木質製品の質感や美観を活かした、一段と趣があり、温もりと秀れた肌触りのある木工商品を提供することができるという効果を奏する。
【００３７】
（結  び）
叙述の如く、この発明の伝声器、その製造方法、およびこの伝声器を利用した難聴者用音声伝達具は、その新規な構成によって所期の目的を遍く達成可能とするものであり、しかも製造も容易で、従前からの音声伝達具技術に比較して、対面した難聴者の表情や反応を診ながら容易に会話できるものとし、さらに、収納効率や携帯性を高め、衛生的に管理し易く、生産効率を高め低廉化して遥かに経済的なものとすることができる上、外観や美観を格段に高めたものとすることができるから、介護用品業界および医療用品業界はもとより、難聴者の家族や、介護および医療関係者においても高く評価され、難聴者に留まらず、健常者を含めた公共施設、一般的な屋外活動やレクリエーション活動などにも広範に渡って利用することができ、従前にも増して巾広く、普及していくものになると予想される。                                                                                                            
【符号の説明】
【００３８】
１      伝声器
１０    同  大伝声器
１１    同  小伝声器
２      小径口
３      大径口
４      拡声筒内壁
５      テープ状木材
６      難聴者用音声伝達具
７      接続機構
７０    同  雄ネジ
７１    同  雌ネジ
８      伝声管
８０    同  伸縮機構                                                                                              
【図１】
2015200751.tif 000003
【図２】
2015200751.tif 000004
【図３】
2015200751.tif 000005
【図４】
2015200751.tif 000006
【図５】
2015200751.tif 000007
【図６】
2015200751.tif 000008
【図７】
2015200751.tif 000009
【図８】
2015200751.tif 000010
【図９】
2015200751.tif 000011
【図１０】
2015200751.tif 000012
【図１１】
2015200751.tif 000013
【図１２】
2015200751.tif 000014
【図１３】
2015200751.tif 000015
【図１４】
2015200751.tif 000016
【図１５】
2015200751.tif 000017
【図１６】
2015200751.tif 000018
【図１７】
2015200751.tif 000019
【図１８】
2015200751.tif 000020
【図１９】
2015200751.tif 000021
【図２０】
2015200751.tif 000022
【図２１】
2015200751.tif 000023
【図２２】
2015200751.tif 000024
【図２３】
2015200751.tif 000025
【図２４】
2015200751.tif 000026
【図２５】
2015200751.tif 000027
【図２６】
2015200751.tif 000028
【図２７】
2015200751.tif 000029
【図２８】
2015200751.tif 000030
【図２９】
2015200751.tif 000031
【図３０】
2015200751.tif 000032
【図３１】
2015200751.tif 000033
【図３２】
2015200751.tif 000034
【図３３】
2015200751.tif 000035
【図３４】
2015200751.tif 000036
【図３５】
2015200751.tif 000037
【図３６】
2015200751.tif 000038